(57)【特許請求の範囲】
【請求項１】
妨害放射線を抑制する抑制手段と凹部を画定する壁とを有して光学送信機及び又は受信機手段（2）と結合する光学チューブであって、前記抑制手段は、チューブ（1）の光軸（5）を含む平面に沿ってそれぞれが伸びる複数のリブによって形成されて妨害放射線を吸収する多反射吸収表面（15）からなり、前記複数のリブが前記壁の周方向において互いに境界を接するように配置されていることを特徴とする光学チューブ。
【請求項２】
チューブ（1）内の前記凹部が放射線透過性中空であり、前記凹部がリブ（11）を備えた内部壁によって境界をなされることを特徴とする請求項1記載の光学チューブ。
【請求項３】
チューブ（1）内の前記凹部が放射線に透過性の個体材料から成り、リブ（11）が外部表面上に形成されていることを特徴とする請求項1記載の光学チューブ。
【請求項４】
妨害放射線を吸収する多反射吸収表面（15）がリブ（11）に設けられ、特に光沢がない黒いペイントの上にスプレーをかけることによって設けられていることを特徴とする請求項3記載の光学チューブ。
【請求項５】
リブ（11）がそれぞれ実質的に三角形であるか、又は半円の断面を有することを特徴とする請求項1から4のいずれか1記載の光学チューブ。
【請求項６】
リブ（11）が主なリブとして形成され、その表面（15）には妨害放射線を吸収しそれぞれ少なくとも局部的に主なリブに沿って伸長している補助リブ（11a、11b）が設けられていることを特徴とする請求項1から5のいずれか1記載の光学チューブ。
【請求項７】
補助リブ（11a、11b）がそれぞれ実質的に三角形であるか、又は半円の断面を有することを特徴とする請求項6記載の光学チューブ。
【請求項８】
妨害放射線を吸収する多反射吸収表面（15）が粗い凹凸の組織で形成されていることを特徴とする請求項1から7のいずれか1記載の光学チューブ。
【請求項９】
リブ（11、11a、11b）の断面面積がチューブ（1）の長さにわたってそれぞれ変化することを特徴とする請求項1から8のいずれか1記載の光学チューブ。
【請求項１０】
リブ（11、11a、11b）の断面面積がチューブ（1）の全長にわたって同じであることを特徴とする請求項1から8のいずれか1記載の光学チューブ。
【請求項１１】
リブ（11、11a、11b）のそれぞれの断面面積がチューブ（1）の光軸（5）に直角で広がっている平面で同じであることを特徴とする請求項1から10のいずれか1記載の光学チューブ。
【請求項１２】
リブ（11、11a、11b）が実質的にお互いに平行して伸長することを特徴とする請求項1から11のいずれか1記載の光学チューブ。
【請求項１３】
リブ（11、11a、11b）が少なくとも局部的にお互いに隣接することを特徴とする請求項1から12のいずれか1記載の光学チューブ。
【請求項１４】
チューブ（1）の光軸（5）に対して垂直なそれぞれの断面において、リブ（11、11a、11b）のポイント（16）が各々のリブ（11、11a、11b）の中でチューブ外壁から最も遠くに配置されており、且つ前記ポイント（16）がチューブ（1）の内で実質的に円形、楕円形、又は正方形を形成する線上に配置されていることを特徴とする請求項1から13のいずれか1記載の光学チューブ。
【請求項１５】
チューブ（1）の光軸（5）に対して垂直なそれぞれの断面において、リブ（11、11a、11b）のポイント（16）が各々のリブ（11、11a、11b）の中でチューブ外壁から最も遠くに配置されており、且つ前記ポイント（16）がチューブ（1）の内で種々の部分からなる曲線上に配置されており、前記種々の部分の各々は実質的に円形、楕円形、又は正方形の一部分を形成する線上にあることを特徴とする請求項1から13のいずれか1記載の光学チューブ。
【請求項１６】
チューブ（1）の光軸（5）に対して垂直なそれぞれの断面において、リブ（11、11a、11b）のポイント（18）が各々のリブ（11、11a、11b）の内で外側に向けて最も遠くに配置されており、且つ前記ポイント（18）は実質的に円形、楕円形、又は正方形を形成する線上に配置されていることを特徴とする請求項1から15のいずれか1記載の光学チューブ。
【請求項１７】
リブ（11、11a、11b）によって境界をなされたチューブ（1）の内部室の断面の面積がチューブ（1）の光軸（5）の少なくとも局部的に沿って減少、又は増加することを特徴とする請求項1から16のいずれか1記載の光学チューブ。
【請求項１８】
リブ（11、11a、11b）によって境界をなされたチューブ（1）の内部室の断面の面積がチューブ（1）の光軸（5）沿って連続的に特に、アンダーカットを形成せずに、減少又は増加することを特徴とする請求項17記載の光学チューブ。
【請求項１９】
チューブ（1）の内部室が実質的に放物面の形状を有することを特徴とする請求項18記載の光学チューブ。
【請求項２０】
チューブ（1）の内部室が実質的に切頭コーンの形状を有することを特徴とする請求項18記載の光学チューブ。
【請求項２１】
送信機及び又は受信機要素（2）が、リブ（11、11a、11b）によって境界をなしたチューブ（1）の内部室の最も小さい断面の面積の部分に配置されることを特徴とする請求項17から20のいずれか1記載の光学チューブ。
【請求項２２】
チューブ（1）外壁の断面形状が実質的に円形、楕円形、又は正方形であることを特徴とする請求項1から21のいずれか1記載の光学チューブ。
【請求項２３】
チューブ（1）がインジェクションモールド、圧力ダイキャスト又は重力ダイキャスト方法で生産されることを特徴とする請求項1から22のいずれか1記載の光学チューブ。
【請求項２４】
チューブ（1）が一体で生産されることを特徴とする請求項1から23のいずれか1記載の光学チューブ。
【請求項２５】
チューブ（1）がレンズ（3）を備えることを特徴とする請求項1から24のいずれか1記載の光学チューブ。
【発明の詳細な説明】
【０００１】
【発明の属する技術分野】
本発明は特に、妨害放射線を抑制する抑制手段を有しかつ光学送信機及び又は受信機手段と結合する光学チューブに関する。
【０００２】
【従来の技術】
かかるチューブはセンサー機器設備で使われ、例えば、光バリア障壁で使われ、光バリア障壁はチューブに結合されている受信機、そしてチューブに同じく結合されて受信機から独立している送信機からなり、そして受信機の面積で信号強度が整えられる。チューブから独立した送信機の場合、送信機によって発せられた放射線は、チューブの受信機側面と反対方向にあるチューブ入口開口を通してチューブの中を通過して、受信機によって検出される。もし送信機がチューブに結合されるなら、発せられた放射線はチューブの中に後方にチューブ以外に反射されても、受信機によって検出される。通例として、チューブの入口開口において位置しているレンズ系は、レンズ系のほぼ焦点に配置されたチューブ中の受信機に入射放射線を集中させる。
【０００３】
送信機それ自身によって発せられた放射線によっても、外部の他の放射線源によっても、反射は、同じくチューブの内部で起こされるので、受信機に検出される放射線の量において望まれていない検出量増加に導くことになる。このようなセンサー配置ではチューブと関連して用いるセンサーの信頼できる操作が害されることになる。かかるセンサー配置の支障がない操作のために望まれていない反射を起こして、反射によるその望ましくない高い量が受信機によって検出される。この妨害放射線は、センサー配置の操作の方法が放射線の増加量によって害されない程度に少なくとも抑制されなくてはならない。
【０００４】
いわゆる光トラップとして妨害放射線の抑圧のためにチューブを形成することが知られている。これのためにチューブの内部には、入射放射線の方角でチューブの光軸に沿ってより小さくなる絞り開口で絞りとして形成されかつチューブの光軸に直角で広がっている複数の板金皿を備えている。妨害放射線の満足のいく抑制がこの種類の周知の配置で達せられることができる。かかるチューブ、これは複雑な構造であるので、その製造が煩雑で高価になる。複数の板金皿を、予め別途製造されたチューブの特定位置に正確に差し込まなくてはならないからである。
【０００５】
【発明が解決しようとする課題】
さらに、光トラップとして用いるために、チューブの光軸に沿って放射線の方角においてチューブの内部の自由な断面の面積が段々と縮小しているチューブであって、インジェクションモールディング処理によって生産できるチューブが知られている。かかるチューブで達成可能な妨害放射線の抑圧は、いかに上記の板金皿を備えたチューブでより貧しく、特に短いチューブでは、妨害放射線に対して適当な保護入射を可能にしない。
【０００６】
本発明の目的は、簡素に生産でき、その寸法とは独立して妨害放射線の適当な抑圧を可能にするチューブを提供することである。
【０００７】
【課題を解決するための手段】
本発明の目的は本発明により満たされ、本発明においては、妨害放射線を抑制する抑制手段は、チューブの光軸を通して広がっている平面に沿って十分にそれぞれが広がる複数のリブによって形成されかつ妨害放射線を吸収する多反射表面からなる。
【０００８】
本発明によれば、チューブには多反射吸収表面が設けられ、該表面は、お互いに角度をもって配置された個別の表面の複数が立ち上がっているようにしたリブによって拡大される。これらの個別の表面は、特定の閾値以下の程度まで多数の吸収と反射を通して妨害放射線を弱め、又は送信機から受信機に届く残余の妨害放射線が発せられた放射線よりも極めて弱い強度で検出される程度まで減衰する。
【０００９】
受信機にチューブが結合された場合において、本発明は、チューブから離れた送信機の放射線が妨害放射線の取るに足りない量ともに受信機に届くこと保証する。もし、それと対照的に、送信機がチューブに結合された場合において、送信機の放射角はそれぞれの応用のための所望の放射角より大きい特定アウトプット放射線特性を有することになり、その時本発明は有利な方法で送信機によって発せられた放射線の望まれていない部分をふさぐことを可能にする。
【００１０】
このようにして、応用のチューブと関連して使われた信頼性が高いセンサーの操作を支障なし方法で配置できることが常に保証される。
本発明によれば、チューブの主なリブの各々が、それぞれ少なくとも局部的に主なリブに沿って伸長する側面の補助リブを備えることにより、特に効果的な妨害放射線の抑圧が提供される。それによって、側面の補助リブでさらなる吸収及び多反射表面が拡大されるので、妨害放射線を抑制するのに役立つ。
【００１１】
さらに、妨害放射線を吸収する多反射表面が粗い凹凸の組織で又は特に放射線を吸収することに効果がある何か他の材料で形成することにより妨害放射線の抑圧を改善できる。
チューブが一体的にインジェクションモールド、圧力ダイキャスト又は重力ダイキャスト方法で生産されることは、特に有利であり、大量生産が簡素な生産方法で好ましい費用でもって達成できる。
【００１２】
【実施例】
以下に、本発明は実施例を添付図面を参照しつつ説明する。
図１はチューブ１の概略的な側断面図を示す。送信機及び、又は受信機要素２がチューブ１の基盤に配置され、レンズ配置３がチューブ１の基盤と反対にある入射開口に配置される。チューブの壁４はハッチングによって示されている。
【００１３】
本質的にチューブ１の光軸５と平行の入射である放射線６は、レンズ配置３によって、レンズ配置３の焦点に配置された送信機及び又は受信機要素２に集中される。
光軸５から旋回角αにて入射して妨害放射線７は、破線で示されている。その傾斜入射の結果として、放射線はチューブ壁４に当たり、そしてチューブ壁によって反射される。反射された妨害放射線８はチューブ１の内部で伝搬して、それが受信機要素２に届き、望まれていない方法で検出される。
【００１４】
図２において、周知のポット形状のチューブ１が示され、これは光軸５に平行に伸長しているチューブ壁４を有する。チューブ１は受信機要素２とレンズ配置３とを備えている。参照符号６はまたチューブ１の光軸５に本質的に平行して入射する放射線を示し、放射線はレンズ配置３によって集中されて、そして受信機要素２によって検出される。
【００１５】
この周知のチューブにおいて、特定の旋回角αで入射する妨害放射線７は、チューブ壁４にて反射され、反射された放射線８は望まないのに受信機要素２によって検出される。
図３は、さらに受信機要素２とレンズ配置３とを有する同様の周知ポット形状チューブ１を示し、これはさらに光軸に直角で広がる板金皿を備え、そして、板金皿は光軸５に沿って配列された開口絞りとして形成されている。板金皿９の絞り開口１０は、受信機要素２に向かう方角においてサイズが縮小する。
【００１６】
レンズ配置３及びその寸法と絞り開口１０の配置との両方はここで、検出される放射線６がチューブ１の内部で反射無しで十分に受信機要素２によって検出されるように、選ばれる。
対照的に、チューブの中へ入射する妨害放射線７は、板金皿９の１つから反射された旋回角αに依存、又は、図３に示されるように、最初にチューブ壁４によって反射されて、そして次に反射され妨害放射線８として板金皿９の１つによって再び反射された旋回角αに依存する。チューブ１の内部のチューブ壁４及び板金皿９において反射した入射し妨害放射線７の小さい部分だけは、受信機要素２の前に配置された最後の、そして最も小さい絞り開口１０を通過し、受信機要素２へ至る。
【００１７】
図４は、さらなる受信機要素２とレンズ配置３とを有する周知のチューブ１を示す。チューブの壁４は、段々のステップのような方法で形成されており、図４の自由内部直径１０ａで示したチューブ１の自由内部断面面積が、受信機要素２に向かう方向において段々と減少するようになっている。図３で示したチューブのように、さらに図４のチューブの中のレンズ配置３とチューブ壁４すなわちステップのようなデザインのように、チューブは、チューブ１の光軸５に実質的に平行に入射する検出されるべき放射線６がチューブ壁４において反射することなく受信機要素２へ十分通過するように、形成される。対照的に、旋回角αの入射放射線７はステップ状チューブ壁４において反射され、旋回角αに依存して、反射された妨害放射線８は、図４に示されるように、既に受信機要素２へ通過して、そしてチューブ壁４においてただ１つだけの反射だけの後、望ましくない方法でそれによって検出されることができる。
【００１８】
図５は、旋回角αに依存する、チューブの受信機要素によって検出される放射線の検出量の依存性を示す。旋回角αの許容範囲は、送信機要素によって発した放射線及びチューブの中に入射した放射線が受信機要素によって検出されるべき範囲である。この許容範囲はそれで本質的にチューブの光軸と平行の入射である放射線を含む。
【００１９】
実際は特定の旋回角αｄがしばしばセットされ、入射放射線が受信機要素によって検出されるかも知れない角度まで設定される。この旋回角αｄの典型的値は、チューブの光軸５に対して±４゜になる。この必要条件は、α＜−４゜及びα＞＋４゜の角度αで入射する妨害放射線がチューブ内か、又はチューブと結合した受信機要素へ通過することを妨げることを、必要にする。
【００２０】
図５のとおり、この許容範囲で検出された放射線の検出量は、水平に伸長する破線にて示される受信機要素の固定した切り替え閾値の上にあり、これを越えると、受信機要素が例えば、それによって検出された放射線の量に応じた処理のトリガシグナルを、伝達する。
図５から分かるように、図２に示された周知のポット状チューブ（ここでは破線によって示された）の、及び図４に示されたステップ状チューブ（ここでは鎖点線によって示された）の受信機要素によって検出される放射線の量が、旋回角αの許容範囲外では受信機要素の固定した切り替え閾値の上を局部的に越えてしまう。これらの越えた部分において、チューブの中に付加的に入射する不要の妨害放射線は受信機要素の固定した切り替え閾値を超え、それによって、望まれていない方法、例えば切り替えプロセスを引き起こし、それによってこのようなチューブと関連して使ったセンサー配置の操作の支障なし方法が害される。
【００２１】
本発明のチューブの受信機要素によって検出される放射線の量は、連続の実線によって図５で示される。α＜−４゜及びα＞＋４゜の角度αで入射する妨害放射線の検出された放射線の量は、受信機要素の固定した閾値の下に際立って横たわっており、それぞれのセンサー配置の支障なし操作が本発明のチューブによって保証される。
【００２２】
図６は本発明に従って形成したチューブ１の内部を示す斜視図を示す。ここで、概略的に示した送信機及び又は受信機要素２はチューブ１の基盤に配置される。チューブ１の内部では、リブ１１がチューブ１の光軸を通して広がっている平面に沿ってそれぞれ広がるチューブ壁４において形成される。
図６に示す実施例において、リブ１１はそれぞれ互いに実質的に平行に伸長し、チューブ１の放射線入口開口から始まって外に広くなって、それらの長手範囲のほぼ中央においてお互いに境界を接し、そして、それらが送信機及び又は受信機要素２に向かう方向にて先細になる。リブ１１は、もし必要なら、チューブ１の全長さの上にお互い境界を接することができる。しかしながら、リブ１１は必ずお互いに平行して伸長していなくてもよく、どちらかと言うと、例えば、全部のチューブ長さの上にお互いから離れて間隔を置いて、及び又はチューブ壁４に沿ってお互いの方に傾いていて広がるようにすることができる。
【００２３】
図６で示す本発明のチューブは、円形の外形断面図を有しており、しかしながら、これは配置はそれと関連して使った送信機に適合させて異なるものに変更でき、例えば特に楕円形であるか、又は正方形にすることができる。図６に示す実施例において、リブ１１を備えたチューブ１の内部の表面１２は、同じ長さ２つのまっすぐ平行に伸長する側面１３から形成された断面と、対向側に配置された２つの同一の凸側面１４とを有している。しかしながら、断面は異なるように、特に円形、楕円形、又は正方形にすることができる。
【００２４】
通例として図６に示すチューブ１は、図６で明確にその理由が示されていないが、レンズ配置と一緒に使われる。
図７は、本発明によるチューブのリブ１１の断面図を示す。ここでリブ１１は、三角形の断面を有するように示されているが、他の望ましい断面、例えば半円の断面を有していてもよい。図７で示された破線ｇはリブ１１が設けられたチューブ内部の表面を示す。
【００２５】
図７から明らかなように、チューブ内部表面は、リブ１１の表面１５によって数倍に拡大されている。
リブ１１が設けられたチューブ内部表面に入射する放射線６、７は、リブ表面１５にて反射され、そしてそこで反射された放射線８はさらにリブ表面１５において新たに反射される。入射放射線６、７の一部が各反射点にてリブ表面１５に吸収されるので、入射放射線６、７の強度は、リブ表面１５上の絶えまない反射によって連続的に減少し、これは例えば図７のリブ表面１５において２度反射されたより短い矢印の放射線８を示す。
【００２６】
それで、入射放射線６、７の強度は、リブ１１の表面１５における多数の吸収と反射によって、弱められ、その減衰程度は、最初の強度の僅かな部分だけが、チューブにあるリブ１１の全体によって吸収されずに、チューブの基盤の受信機要素に達するほどの程度である。
図８ａ〜図８ｃはさらなる本発明の実施例におけるリブ１１を示す。
【００２７】
図８ａにおいて、三角形の断面のリブ１１はより小さい補助の側面リブ１１ａを有し、補助の側面リブ１１ａは三角形の断面を有する。ここに示す実施例では、リブ１１の表面１５はジグザグ形をした断面を有する。
図８ｂにおいて、断面が三角形のリブ１１は、本質的に半円の断面を有する補助の側面リブ１１ｂを有し、ここで側面リブの表面１５は波形をした断面を有する。チューブ内部の全表面及び放射線吸収能力は、主なるリブ１１に形成された補助の側面リブ１１ａ及び１１ｂを通して、拡大される。
【００２８】
チューブの中に設けられたリブ１１によって放射線吸収を増やすための、本発明によるさらなる可能性が、図８ｃで示される。ここでリブ１１は三角形の断面を有するが、補助リブを備えてない。これの代わりにこの実施例では、リブ１１の表面１５に点によって示された荒くされた凹凸組織を備えており、それによって、より小さい凹凸部分とより小さい追加表面とは、入射放射線を吸収、反射する表面を形成する。この方法でチューブの入射放射線は一層強く抑制される得る。
【００２９】
図９ａ−ｃは、本発明による種々のチューブの内部室の平面図を示し、それぞれがチューブ１の基盤において配置されれている送信機及び又は受信機要素２を備えている。
図９ａにおいて、チューブ１は円形外断面を有し、リブ１１のポイント１６はそれぞれチューブ１の最内部に配置され、リブは平面及び断面図において共に、想像上円形曲線上にてチューブ１の光軸に垂直に伸長している。リブ１１がこの実施例で三角形の断面を有するから、星のような輪郭を有するチューブ１の自由な内部の断面の面積は、図９ａで示された平面図のようになり、それぞれ平面断面がチューブ１の光軸に直角に広がる。ここに示す実施例において、それぞれ外見上最も遠くに配置されるリブ１１のポイント１８は、チューブ１の内部の表面を形成するリブ１１がお互いと全く同じであるという状態で、円形のカーブの上に配置される。
【００３０】
図９ａで示す実施例において、チューブ１の自由な内部の断面面積は、即ちリブ１１によって境を接する部屋の断面面積は、チューブ１の基盤に設けられた送信機及び又は受信機要素２に向かう方向において光軸に沿って減少するので、チューブ全長にわたってお互い境界を接するリブ１１は送信機及び又は受信機要素２に向かう方向にて先細になる。しかし、チューブ１の自由な内部の断面面積を一定に保持することが可能である。その時チューブ全長にわたってお互い境界を接するリブ１１は幅において変化しない。
【００３１】
リブ１１は、チューブ１の不変の断面面積の場合において、同じくチューブ１の縮小している自由な内部の断面面積の場合において、共にお互いから少なくとも局部的に間隔を置かれることができる。
図９ｂは正方形外断面を有する本発明によるチューブ１を示し、図９ａの実施例のように、リブ１１のポイント１６は、図９ａで示された平面図のように、チューブ１内の最も先にそれぞれ配置され、チューブ１の光軸に垂直に広がる平断面の面積における円形曲線上に沿って、伸長しており、ポイント１８は最も先外部において正方形曲線上に配置され、チューブ１の内部表面は異なった断面で形成される。
【００３２】
図９ｂに示す実施例において、チューブ１の自由な内部の断面面積とチューブ全長上にお互いに近接するリブ１１の幅との両方とも、送信機及び又は受信機要素２に向かう方向においてで同じく減小する。しかしながら、自由な内部の断面面積は、全て不変のままとすることができ、そしてリブ１１は、もし必要なら、お互いから離れて間隔を置くことができる。
【００３３】
図９ｃはさらなる本発明による実施例のチューブ１を示し、これはチューブ１の外断面及びそれの上にリブ１１のポイント１８が外端に配置される曲線が楕円状を有している。ここでチューブ１の中に心の中で最も遠くにそれぞれ配置されるリブのポイント１６は、同じくチューブ１の光軸に直角に広がっている平面にある楕円形のカーブの上にそれぞれ配置されている。図９ａ及び図９ｂの実施例のように、チューブ１の自由な内部の断面面積とチューブ全長上にお互いに近接するリブ１１の幅との両方とも、送信機及び又は受信機要素２に向かう方向において同じく減小する。この実施例において、残る不変の自由な内部断面面積は、お互いから選択的にただ局部的にお互いに近接するリブ１１、又は間隔を置かれるリブ１１とすることは、想像可能である。
【００３４】
図９ａ及び９ｃに示す可能性に加え、本発明による種々の実施例が想像可能で、センサー配置でチューブ１の載置状況に対応させて外断面の形状を適合させることや、リブのポイント１８又は１６を配置させる曲線形状をチューブ１と関連して使うセンサー配置の光学及び幾何学上の必要条件に適合させること、が可能である。
【００３５】
図１０ａ〜１０ｃと図１１はそれぞれ、本発明の異なったチューブ１を通した長手方向の断面図を示し、それぞれ、チューブ１の光軸５を通して伸びる平面である。チューブ１に配置されるリブ１１は、それぞれ前述された形状に適応させることができる。
図１０ａにおいて、チューブ１の自由な内部の断面面積はその全長上にて不変である。この実施例において内部の断面形状は、チューブ１の基盤において送信機及び又は受信機要素２の部分と、チューブ１の放射線入口開口を形成している反対のチューブ終わり部分と、比べて同じである。
【００３６】
図１０ｂに示す本発明による実施例において、チューブ１の自由な内部の断面面積は、チューブ１の基盤に設けられた送信機及び又は受信機要素２に向かう方向においてアンダーカット形成なし連続的に減少し、図においてはチューブの内部表面１２のパラボラ形状(paraboloid-shaped)の交差線１７にて画定されているが、内部の断面面積は、選択的に同じく減らすことが可能な方法で、チューブ内のアンダーカットなしで、他のいかなる曲線の交差線１７で画定することができる。
【００３７】
図１０ｃは本発明によるさらなる実施例を示し、チューブ１の自由な内部の断面面積は、チューブ１の自由な内部空間が切頭コーン形状を有するようにして、減少する。
送信機及び又は受信機要素２は、チューブ１の基盤において最も小さい自由な断面面積の部分で図１０ｂと図１０ｃの実施例と同様に配置される。
【００３８】
図１１は、開口角βの定義のために、切頭コーン形状自由内部空間を有する本発明によるチューブ１を示し、この切頭コーンの開口角βはチューブと関連して用いられるセンサー配置の光学、幾何学的な状況の結果として生じる条件にそれぞれ適合させられている。
記述した本発明によるチューブの内部の実施例はチューブを生産可能とすることができ、特にインジェクションモールディング、圧力ダイキャスト方法又は重力ダイキャスト方法で、大量に有利な方法で好都合なコストで生産され得る。
【００３９】
図１０ａから図１０ｃに示す実施例のチューブ１において、チューブ壁４によってそれぞれ画定される外断面は、所望のどんな形状にも適合でき、その外断面形状はリブ１１の内部表面１２の断面から生じ又は対応する形、又はチューブ１内の最先に配置されるリブ１１のポイント１６がチューブ１の光軸に垂直に広がる平断面において描かれる曲線から生じる形となる。
【００４０】
図１２は、送信機及び又は受信機要素２を有する本発明によるさらなる実施例の斜視図を示す。チューブ１は、その内部空間がそれぞれの放射線に対し透過性の個体材料から成り立つという点で、前述された実施例から区別される。リブ１１はここで、個体材料の外部表面を機械にかけることによって形成される。このように、前の実施例で記述された実施例で、すべてのリブ、側面リブ及びチューブ内部空間の設計が同じく達せられる。
【００４１】
妨害放射線の抑圧に必要な吸収及び多反射表面の形成のために、吸収及び多反射被覆をリブ１１に設けることができ、特にそしてつや消し黒ペイント上にスプレイをかけることによって形成される。
チューブ１の光軸５に平行して入射する放射線のためのチューブ５の非被覆入口開口１９は、平らな表面又は凹形若しくは凸形の表面として形成される。チューブ１の全内部空間はチューブ１と結合される入射放射線を受信機要素２に集中するレンズとしての役割を果たす。しかし図１２に示すチューブ１に、ここで示さない追加のレンズを設けることは可能である。
【００４２】
【発明の効果】
本発明の実施例により形成されたそれぞれのチューブ１において、選択的にあるレンズ配置３とリブ１１の表面１５によって形成されたチューブ１の表面とは、旋回角αの許容範囲以外から入射する妨害放射線を最も完全に抑圧できるように常に協力する。この結果、送信機要素によって発せられ本質的にチューブ１の光軸５と平行の入射である放射線６は、選択的にレンズ配置３ｄによって集中されて、そして完全に反射無しでさらにチューブ１の内部で強度損失無しで、チューブの基盤に備えられた受信機要素へ通過し、受信機要素によって検出される。そして同時に起こる得る入射の妨害放射線６は、リブ表面１５において起きる放射線の多数の吸収及び反射によってほとんど十分に抑制される。
【図面の簡単な説明】
【図１】  放射線状態を説明するチューブの概略側面断面図である。
【図２】  周知のチューブの側断面図である。
【図３】  他の周知のチューブの側断面図である。
【図４】  他の周知のチューブの側断面図である。
【図５】  図２と図４に示すチューブの放射線の入射の角度に依存する検出された放射線の量の変化のグラフである。
【図６】  本発明のチューブの斜視図である。
【図７】  入射放射線と本発明のチューブのリブの部分拡大断面図である。
【図８】  本発明のチューブのリブの種々の実施例を示す部分拡大表面図である。
【図９】  本発明の種々のチューブの平面図である。
【図１０】  本発明の種々のチューブの側断面図である。
【図１１】  本発明のチューブの側断面図である。
【図１２】  本発明の他のチューブの斜視図である。
【符号の説明】
１  チューブ
２  送信機及び又は受信機要素
３  レンズ配置
４  チューブ壁
５  チューブの光軸
６  入射放射線
７  入射した妨害放射線
８  反射された妨害放射線
９  板金皿
１０  絞り開口
１０ａ    チューブの自由内部の直径
１１  リブ
１１ａ  、ｂ  側面リブ
１２  チューブの内部の表面
１３  まっすぐな側面
１４  凸の側面
１５  リブ表面
１６  最内側のリブポイント
１７  チューブの内部の表面の交差線
１８  最外側のリブポイント
１９  チューブ入口開口
【図１】
0003738059.tif 000002
【図２】
0003738059.tif 000003
【図３】
0003738059.tif 000004
【図４】
0003738059.tif 000005
【図５】
0003738059.tif 000006
【図６】
0003738059.tif 000007
【図７】
0003738059.tif 000008
【図８】
0003738059.tif 000009
【図９】
0003738059.tif 000010
【図１０】
0003738059.tif 000011
【図１１】
0003738059.tif 000012
【図１２】
0003738059.tif 000013